Podtech/llm-jp-corpus-v4-ja_patent huggingface dataset:
【手続補正書】
【提出日】平成28年12月16日(2016.12.16)
【手続補正１】
【補正対象書類名】特許請求の範囲
【補正対象項目名】全文
【補正方法】変更
【補正の内容】
【特許請求の範囲】
【請求項１】
ワイヤと電気的に通信するセンサと、
前記同一のワイヤを使って、前記センサとインラインで電気的に接続される表示器と、
正の電圧を有するように配置された第１の電源と、
負の電圧を有するように配置された第２の電源と、
前記ワイヤと、前記第１及び第２の電源との間で電気的通信をトグルするように構成されたスイッチと、
前記センサと直列で、第１の方向に電流が前記ワイヤを流れるときに、前記センサを介して、電流が流れることを可能とするように配置された第１のダイオードと、
前記表示器と直列で、前記第１の方向とは反対方向に電流が前記ワイヤを流れるときに、前記表示器を介して、電流が流れることを可能とするように配置された第２のダイオードと、
を備えることを特徴とする機構。
【請求項２】
前記センサは、２本のワイヤのみで電気的に接続されることを特徴とする請求項１に記載の機構。
【請求項３】
前記センサは、ＩＥＰＥであることを特徴とする請求項２に記載の機構。
【請求項４】
前記表示器は、発光体であることを特徴とする請求項１に記載の機構。
【請求項５】
前記表示器は、発光ダイオード（ＬＥＤ）であることを特徴とする請求項４に記載の機構。
【請求項６】
前記発光ダイオードは、赤外線発光ダイオードであることを特徴とする請求項５に記載の機構。
【請求項７】
前記表示器は、デジタルまたは信号プロトコルと同時に点灯及び消灯することを特徴とする請求項１に記載の機構。
【請求項８】
前記デジタルまたは信号プロトコルは、トランスジューサエレクトロニックデータシート（ＴＥＤＳ）要求をサポートすることを特徴とする請求項７に記載の機構。
【請求項９】
無線で前記センサからの状態及び／または計測データを送信するための無線送信機と、を更に備えることを特徴とする請求項１に記載の機構。
【請求項１０】
前記ワイヤから電力を受信し、前記表示器への電力を制御するように、前記表示器と前記スイッチとの間に、前記センサとインラインで電気的に接続されるデジタルコントローラ、を更に備えることを特徴とする請求項１に記載の機構。
【請求項１１】
センサ回路を確認する方法であって、
第１の電源と電気的に通信するワイヤを配置し、前記ワイヤを通じてセンサに電源を供給し、
前記ワイヤの電気的通信を前記第１の電源から第２の電源に切り替え、
前記同一のワイヤを通じて前記第２の電源から電力を供給し、
前記第２の電源から前記センサへの電流を防止し、
前記センサに近い位置に配置される表示器に、前記同一のワイヤを通じて前記第２の電源から電流を流れるようにし、
前記表示器を表示をさせる、
ステップを有することを特徴とする方法。
【請求項１２】
前記切り替えるステップにより、前記センサ回路内で逆方向の電流が発生することを特徴とする請求項１１に記載の方法。
【請求項１３】
前記センサは、ＩＥＰＥであることを特徴とする請求項１１に記載の方法。
【請求項１４】
少なくとも１つのダイオードによって前記センサに電流が流れることを防止することを特徴とする請求項１２に記載の方法。
【請求項１５】
前記表示器は、発光ダイオード（ＬＥＤ）であることを特徴とする請求項１１に記載の方法。
【請求項１６】
本体と、
前記本体の両端で第１のコネクタ及び第２のコネクタとそれぞれ電気通信を行う第１のワイヤ及び第２のワイヤと、
前記本体の外側で可視であって前記第１のワイヤ及び第２のワイヤと電気通信を行う表示器と、
を備え、
前記表示器は、前記第１及び第２のワイヤと並列に電気接続され、少なくとも１つのダイオードに直列に接続されることを特徴とする表示機構。
【請求項１７】
前記第１のコネクタ及び第２のコネクタは、２本のワイヤのみで接続されることを特徴とする請求項１６に記載の表示機構。
【請求項１８】
前記表示器は、発光体であることを特徴とする請求項１６に記載の表示機構。
【請求項１９】
前記表示器は、発光ダイオード（ＬＥＤ）であることを特徴とする請求項１８に記載の表示機構。
【請求項２０】
前記発光ダイオードは、赤外線発光ダイオードであることを特徴とする請求項１９に記載の表示機構。
【請求項２１】
前記表示器は、デジタルまたは信号プロトコルと同時に点灯及び消灯するよう設計されることを特徴とする請求項１６に記載の表示機構。
【請求項２２】
前記デジタルまたは信号プロトコルは、トランスジューサエレクトロニックデータシート（ＴＥＤＳ）要求をサポートすることを特徴とする請求項２１に記載の表示機構。
【請求項２３】
ケーブルを備えるケーブル機構であって、
前記ケーブルは、
センサと嵌合するように設計された電気コネクタと電気通信を行う第１のワイヤ及び第２のワイヤと、
前記ケーブルと統合され、前記第１のワイヤ及び第２のワイヤと電気通信を行う表示器と、
前記表示器と前記第１のワイヤとの間の第１のダイオードと、
前記表示器と前記第２のワイヤとの間の第２のダイオードと、
を備え、
前記ダイオードは、電流が前記センサに流れているときは、前記表示器に電流が流れることのないように配向されることを特徴とするケーブル機構。
【手続補正書】
【提出日】平成29年1月11日(2017.1.11)
【手続補正１】
【補正対象書類名】特許請求の範囲
【補正対象項目名】全文
【補正方法】変更
【補正の内容】
【特許請求の範囲】
【請求項１】
装置であって：
コンピューティングデバイスのディスプレイデバイスは可視であるが、前記コンピューティングデバイスのハウジングの背面部分が保護ケースによって実質的に覆われるように、前記ハウジングを少なくとも部分的に包含するように構成される保護ケースと；
前記保護ケースの面上に配置され、かつ前記コンピューティングデバイスへ１つ以上の入力を提供するように構成される、１つ以上のコントロールと；
を備え、少なくとも１つの前記コントロールは、
少なくとも１つの前記コントロールがユーザの手の親指によりアクセス可能であるが、前記ハウジングの前記背面部分が前記保護ケースで実質的に覆われるように、その中に前記コンピューティングデバイスが配置される前記保護ケースを保持しているときに、前記ユーザの手の親指によってアクセス可能であるように配置され、
前記コンピューティングデバイスの前記ディスプレイデバイスに対応する、前記保護ケースの側面に配置される、
装置。
【請求項２】
前記保護ケースは、フレキシブルヒンジを介して前記コンピューティングデバイスに物理的に結合され、前記コンピューティングデバイスへの前記１つ以上の入力は、前記フレキシブルヒンジを通して通信される、
請求項１に記載の装置。
【請求項３】
前記保護ケースは、磁力を使用して前記コンピューティングデバイスに着脱可能に取り付けられるよう構成される、
請求項１に記載の装置。
【請求項４】
前記保護ケースは、第１の位置と第２の位置との間で移動可能であり、前記第１の位置において、前記保護ケースが前記コンピューティングデバイスの前記ディスプレイデバイスを実質的に覆い、前記第２の位置において、前記保護ケースが、前記コンピューティングデバイスのハウジングの背面に配置される、
請求項１に記載の装置。
【請求項５】
前記保護ケースは、複数のキーを有する入力部と、少なくとも１つの前記コントロールを含む１つ以上の制御部とを更に備える、
請求項１に記載の装置。
【請求項６】
前記１つ以上の制御部は、前記入力部に対して回転可能である、
請求項５に記載の装置。
【請求項７】
少なくとも１つの前記コントロールは、前記ディスプレイデバイス上で表示可能なゲームをプレイする際の使用に専用のものである、
請求項１に記載の装置。
【請求項８】
少なくとも１つの前記コントロールは、前記保護ケースの前記コンピューティングデバイスのディスプレイデバイスに対応する側面の上に配置されるように構成される、制御部の一部として構成され、この配置により前記コンピューティングデバイスはゲームモードに入る、
請求項１に記載の装置。
【請求項９】
入力デバイスであって：
コンピューティングデバイスへの着脱可能な物理的接続を提供するよう構成される接続部と；
前記接続部に結合される保護ケースであって、前記コンピューティングデバイスのディスプレイデバイスは可視であるが、前記コンピューティングデバイスの背面部分が当該保護ケースで覆われるように、前記接続部が前記コンピューティングデバイスに物理的に接続されるときに前記コンピューティングデバイスに対する当該保護ケースの回転運動をサポートするように構成される、保護ケースと；
１つ以上のコントロールであって、前記保護ケースが、前記コンピューティングデバイスの前記背面部分を実質的に覆うように前記コンピューティングデバイスの背後に配置され、前記コンピューティングデバイスと当該入力デバイスがユーザの一方又は双方の手によって把持されるときに、前記コンピューティングデバイスの前記ディスプレイデバイスに対応する前記保護ケースの側面上に配置され、少なくとも１つの当該コントロールがユーザにアクセス可能にされるように前記保護ケース上に配置される、１つ以上のコントロールと；
を備える、入力デバイス。
【請求項１０】
入力デバイスが、コンピューティングデバイスに対して第１の位置をとるように回転させるステップであって、前記入力デバイスは、磁力を使用して前記コンピューティングデバイスに着脱可能に接続され、前記第１の位置において、前記入力デバイスの保護部分が、前記コンピューティングデバイスのディスプレイデバイスを実質的に覆う、ステップと；
前記入力デバイスが、前記コンピューティングデバイスに対して第２の位置をとるように回転させるステップと；
を含み、前記第２の位置において、
前記保護部分は、前記ディスプレイデバイスとは反対の前記コンピューティングデバイスのハウジングの背面に配置され、及び
１つ以上の入力を前記コンピューティングデバイスに提供するように構成される少なくとも１つのコントロールが、前記コンピューティングデバイスの前記ディスプレイデバイスに対応する、前記保護部分の側面上に配置され、
前記コンピューティングデバイスの前記ディスプレイデバイスと前記少なくとも１つのコントロールの双方が見える間に、前記ハウジングの前記背面が前記保護部分によって実質的に覆われる、
方法。
【手続補正書】
【提出日】平成29年2月17日(2017.2.17)
【手続補正１】
【補正対象書類名】特許請求の範囲
【補正対象項目名】全文
【補正方法】変更
【補正の内容】
【特許請求の範囲】
【請求項１】
再利用可能な紙を作製する方法であって、
消去装置において、切除耐性があり、インクまたはトナーにより形成された画像が埋め込まれた強化紙を受け取ることと、
前記紙上の前記画像を、前記画像が切除されて消去された紙が形成されるまで光線で照射し、前記光線は、前記インクまたはトナーを切除するが、切除不耐性である紙を損傷するフルエンスで、前記紙を照射することと、
前記消去された紙を出力することと、を含む方法。
【請求項２】
前記画像が、標準的なインクまたはレーザプリンタによって埋め込まれる請求項１に記載の方法。
【請求項３】
前記強化紙が、セルロース繊維の代わりにセラミック繊維で普通紙を作製することによって製造される請求項１に記載の方法。
【請求項４】
前記セラミック繊維が、金属酸化物繊維またはセラミック鉱物繊維である請求項３に記載の方法。
【請求項５】
前記強化紙は切除耐性があるコーディングによりコーディングされる請求項１に記載の方法。
【請求項６】
前記強化紙が、セルロース繊維の代わりにポリマー繊維で普通紙を作製することによって製造される請求項１に記載の方法。
【請求項７】
前記方法が、さらに、前記画像を切除する前に、前記強化紙上の前記画像をメモリに光走査することを含む請求項１に記載の方法。
【請求項８】
前記方法が、さらに、走査画像を分析して、前記画像の色および輝度に基づいて、前記画像を切除するのに用いる波長、強度、および時間を決定することを含む請求項７に記載の方法。
【請求項９】
前記方法が、さらに、前記強化紙上に埋め込まれた前記画像を切除することによって消去された紙の枚数をカウントするカウンタを用いることを含む請求項１に記載の方法。
【請求項１０】
再利用のための紙を作製するシステムであって、
切除耐性があり、インクまたはトナーにより形成された画像が埋め込まれた強化紙を受け取る入力トレイと、
切除不耐性である紙を損傷する強度を有する光線を生成し、前記紙上の前記画像を、前記画像が切除されて消去された紙が形成されるまで照射する照射ユニットと、
前記消去された紙を出力する出力トレイと、を備えるシステム。
【請求項１１】
前記画像が、標準的なインクまたはレーザプリンタによって埋め込まれる請求項１０に記載のシステム。
【請求項１２】
前記強化紙が、セルロース繊維の代わりにセラミック繊維で普通紙を作製することによって製造される請求項１０に記載のシステム。
【請求項１３】
前記セラミック繊維が、金属酸化物繊維またはセラミック鉱物繊維である請求項１２に記載のシステム。
【請求項１４】
前記強化紙は切除耐性があるコーディングによりコーディングされる請求項１０に記載のシステム。
【請求項１５】
前記強化紙が、セルロース繊維の代わりにポリマー繊維で普通紙を作製することによって製造される請求項１０に記載のシステム。
【請求項１６】
前記システムが、さらに、前記画像を切除する前に、前記強化紙上の前記画像をメモリに光走査する光学スキャナを備える請求項１０に記載のシステム。
【請求項１７】
前記システムが、さらに、走査画像を分析して、前記画像の色および輝度に基づいて、前記画像を切除するのに用いる波長、強度、および時間を決定する請求項１６に記載のシステム。
【請求項１８】
前記システムが、さらに、前記強化紙上に埋め込まれた前記画像を切除することによって消去された紙の枚数をカウントするカウンタを備える請求項１０に記載のシステム。
【請求項１９】
前記強化紙が５％未満のセルロース繊維を有する請求項１記載の方法。
【請求項２０】
前記強化紙が５％未満のセルロース繊維を有する請求項１０記載のシステム。
【手続補正書】
【提出日】平成29年1月5日(2017.1.5)
【手続補正１】
【補正対象書類名】特許請求の範囲
【補正対象項目名】全文
【補正方法】変更
【補正の内容】
【特許請求の範囲】
【請求項１】
輪郭データを使用する方法であって、
各々が撮影場所に関連づけられている複数の風景画像を収集し、
前記複数の風景画像の各々から、少なくとも１つの経路要素を描いた当該少なくとも１つの経路要素の輪郭を識別及び文書化することによって、それぞれの撮影場所に関連づけられた複数の輪郭画像のうちの１つを作成し、
前記複数の輪郭画像の各々と、輪郭画像データセットに文書化されている複数の経路に沿った複数の場所のうちの１つとを、対応する撮影場所に従って関連付けることによって輪郭画像データセットをメモリ内で更新することを備える方法。
【請求項２】
前記複数の輪郭画像の１つの作成は、異なるソースから収集された複数の風景画像を使用することを含む、請求項１に記載の方法。
【請求項３】
前記複数の輪郭画像は、三次元輪郭データを含む、請求項１に記載の方法。
【請求項４】
前記複数の経路の１つに沿った複数のクライアント装置の１つの動きベクトルを示すリクエストに応答して、前記複数の輪郭画像の少なくとも１つの読み出しを進めることをさらに備える、前記輪郭データセットを使用するための方法でもある、請求項１に記載の方法。
【請求項５】
前記複数の輪郭画像の前記少なくとも１つは、前記読み出しの前に圧縮される、請求項４に記載の方法。
【請求項６】
前記複数のクライアント装置は、スマートフォン、タブレット、およびウェアラブルコンピューティング装置からなる群から各々が選択された複数のモバイル装置である、請求項４に記載の方法。
【請求項７】
前記複数のクライアント装置は、複数の車両の複数の情報娯楽ユニットである、請求項４に記載の方法。
【請求項８】
前記収集は複数のクライアント装置にそれぞれ搭載された複数の画像センサを使用することによって前記複数の風景画像を撮影することを備える、請求項１に記載の方法。
【請求項９】
前記収集は、前記複数の風景画像の各々をそれぞれの撮影場所に関連づけることを更に備える、請求項８に記載の方法。
【請求項１０】
前記関連づけられた撮影場所は、前記複数のクライアント装置のうちの対応するクライアント装置から収集される、請求項９に記載の方法。
【請求項１１】
前記撮影は、前記複数の風景画像を、前記複数のクライアント装置に搭載された複数の画像記録モジュールの各々からワイヤレス接続でネットワークノードに通信することを備え、当該ネットワークノードが、前記作成すること、前記更新すること、および前記読み出しを進めることを行う、請求項８に記載の方法。
【請求項１２】
前記ネットワークノードは、前記複数の画像記録モジュールから前記複数の風景画像をそれぞれの撮影場所と一緒に集める、請求項１１に記載の方法。
【請求項１３】
前記複数の風景画像の少なくともいくつかの各々に非撮像センサの出力が関連づけられ、前記出力と、前記複数の風景画像からの、対応する関連風景画像とが、関連時間フレーム中に撮影される、請求項１に記載の方法。
【請求項１４】
前記出力を解析して車両−道路相互作用を識別する、請求項１３に記載の方法。
【請求項１５】
前記作成は、前記車両−道路相互作用についての表示を、対応する輪郭画像に関連づけて提示されるように追加することを備える、請求項１３に記載の方法。
【請求項１６】
前記出力は可聴信号であり、前記車両−道路相互作用は、車止め、少なくとも１つの震動要素を有する車線マーカ、および側壁からなる群から選択される、請求項１３に記載の方法。
【請求項１７】
前記複数の輪郭画像は、拡張現実ディスプレイに提示されるようにレンダリングされる、請求項１に記載の方法。
【請求項１８】
前記複数の輪郭画像は、フロントガラスの拡張現実ディスプレイに投影されるようにレンダリングされる、請求項１に記載の方法。
【請求項１９】
前記複数の輪郭画像は、ヘッドアップディスプレイに表示されるようにレンダリングされる、請求項１に記載の方法。
【請求項２０】
前記複数の輪郭画像は、画面ディスプレイにフレームとして埋め込まれるようにレンダリングされる、請求項１に記載の方法。
【請求項２１】
前記複数の風景画像は、地理的データセットから収集される、請求項１に記載の方法。
【請求項２２】
輪郭データセットを使用する方法であって、
複数の経路の１つに沿ったクライアント装置の動きベクトルと場所とを示すリクエストを受信し、
前記複数の経路を文書化した輪郭画像データセットに基づいて、前記動きベクトルに対応する複数の輪郭画像の少なくとも１つを捜し出し、
前記少なくとも１つの輪郭画像を前記クライアント装置に転送することを備える方法。
【請求項２３】
前記転送することはさらに、前記輪郭画像データセットにおいて記憶された少なくとも１つの風景画像を含む、請求項２２に記載の方法。
【請求項２４】
輪郭データを使用するシステムであって、
複数のクライアント装置のいずれかに１つの速度監視モジュールがホスティングされている複数の画像記録モジュールであって、各画像記録モジュールがそのホスティングクライアント装置の画像センサを使用することによって複数の風景画像のいくつかの撮影を命令し、前記いくつかの風景画像のいくつかを対応する撮影場所に関連づける前記複数の画像記録モジュールと、
前記複数の風景画像の各々から、少なくとも１つの経路要素を描いた当該少なくとも１つの経路要素の輪郭を識別及び文書化することによって、それぞれの撮影場所に関連づけられた複数の輪郭画像のうちの１つを作成する少なくとも１つの輪郭画像生成モジュールと、
複数の経路を地理的にマッピングする輪郭画像データセットを記憶しているメモリと、
前記複数の輪郭画像の各々と、前記輪郭画像データセットに文書化されている前記複数の経路に沿った複数の場所のうちの１つとを、対応する撮影場所に従って関連付けることによって前記輪郭画像データセットを更新する輪郭画像更新モジュールと、
前記複数の経路の１つに沿った動きベクトルを示すリクエストに応答して前記複数の輪郭画像の少なくとも１つの読み出しを管理する通信モジュールと
を備えるシステム。
【手続補正書】
【提出日】平成28年12月2日(2016.12.2)
【手続補正１】
【補正対象書類名】特許請求の範囲
【補正対象項目名】全文
【補正方法】変更
【補正の内容】
【特許請求の範囲】
【請求項１】
コンテキスト関連情報を受信し、ユーザーに対して表示するための方法であって、
自動的に推測されたコンテキスト関連情報の複数の項目をデバイスにおいて受信するステップであって、前記自動的に推測されたコンテキスト関連情報の前記項目が、ユーザーに関連する情報を含む、受信するステップと、
複数の指令を受信するステップであって、前記指令の各々は、自動的に推測されたコンテキスト関連情報の前記項目のうちの１つと関連付けられる、ステップと、
前記指令によって識別されるシーケンスで、前記デバイスにおいて、自動的に推測されたコンテキスト関連情報の前記項目を前記ユーザーに対して目立たずに提示するステップと
を含む方法。
【請求項２】
前記自動的に推測されたコンテキスト関連情報の前記項目が、
グランサブルユーザーインターフェース
双安定ディスプレイ、または
容易に監視可能なアイコンを介して表示される、請求項１に記載の方法。
【請求項３】
前記自動的に推測されたコンテキスト関連情報の前記項目が、現在の時刻、活動コンテキストおよび空間的なコンテキストを含む時間的なコンテキストに関連付けられ、前記活動コンテキストは、前記ユーザーが従事する活動を含み、前記空間的なコンテキストは、前記ユーザーの現在の位置を含み、前記コンテキスト関連情報は、ユーザーアカウントに記憶されたデータに基づく、請求項１に記載の方法。
【請求項４】
前記コンテキスト関連情報が、
少なくとも一部既定したメッセージの送信を承認するための、前記ユーザーに対する前記少なくとも一部既定したメッセージおよびプロンプトと、
プロンプトのセットであって、前記セットの各プロンプトが、時間超過を減らすために会議中の事前選択した時間に提供される、プロンプトのセットと、
会議に出席するためのリマインダーと
を含み、前記方法が、
前記会議中に前記ユーザーから雰囲気の指示を受信するステップと、
前記会議で前記受信した雰囲気の指示をプレゼンターに送るステップと
をさらに含む、請求項３に記載の方法。
【請求項５】
コンテキスト関連情報を受信しユーザーに対して表示するためのディスプレイデバイスであって、
前記ディスプレイデバイスが、
ディスプレイモジュールと、
処理ユニットと、
システムメモリとを備え、
前記システムメモリが、
コンテキスト関連情報の複数の項目を受信し、前記コンテキスト関連情報がユーザーに関連付けられ、
複数の指令を受信し、前記指令の各々は前記コンテキスト関連情報の前記項目のうちの１つに関連付けられ、
前記指令によって識別されるシーケンスで、前記コンテキスト関連情報の前記複数の項目を前記ディスプレイモジュール上に表示させ、前記コンテキスト関連情報は前記ユーザーに対して目立たずに表示される
ように、前記処理ユニットに命令する仮想アシスタントサービスを備える、ディスプレイデバイス。
【請求項６】
前記コンテキスト関連情報の前記項目が、時間的なコンテキスト、空間的なコンテキストおよび活動コンテキストに関連付けられ、前記コンテキスト関連情報がグランサブルユーザーインターフェースを介して表示される、請求項５に記載のディスプレイデバイス。
【請求項７】
前記ディスプレイモジュールが、双安定ディスプレイモジュールを含み、前記コンテキスト関連情報の前記項目が、前記双安定ディスプレイモジュールを介して表示される、請求項６に記載のディスプレイデバイス。
【請求項８】
前記コンテキスト関連情報の前記項目が、容易に監視可能なアイコンを介して表示される、請求項５に記載のディスプレイデバイス。
【請求項９】
前記時間的なコンテキストが現在の時刻を含み、前記空間的なコンテキストが前記ユーザーの現在の位置を含み、前記コンテキスト関連情報がユーザーアカウントに記憶されたデータに基づく、請求項６に記載のディスプレイデバイス。
【請求項１０】
前記コンテキスト関連情報の前記項目のうちの１つが、
少なくとも一部既定したメッセージの送信を承認するための、前記ユーザーに対する前記少なくとも一部既定したメッセージおよびプロンプトと、
プロンプトのセットであって、前記セットの各プロンプトが、時間超過を減らすために会議中の事前選択した時間に提供される、プロンプトのセットと、
会議に出席するためのリマインダーと
を含み、
前記仮想アシスタントサービスが、前記会議中に前記ユーザーから雰囲気の指示を受信するように、前記処理ユニットに命令する、請求項９に記載のディスプレイデバイス。
【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
データを受信および送信するように構成されたルーティングデバイスであって、前記ルーティングデバイスは、
プロセッサと、
ネットワークインターフェースを介してデータパケットの受信を検出することと、
ネットワーク宛先に前記データパケットの各々を送信することと、
を行うように構成されたルーティングマネージャと、
ウェブページへの入力の結果として、前記ネットワークインターフェースをわたって、転送すべきデータを識別するデータ転送情報を、第１のコンピューティングデバイスから受信するように構成された設定マネージャと、
前記ネットワークインターフェースをわたった遠隔デバイスからの前記データの転送のための動作を制御するように構成されたダウンロードマネージャと、
前記データパケットを検査し、前記データを含む前記データパケットのある特定のものを識別するように構成されたパケット検査マネージャと、
前記ダウンロードマネージャの動作に応答して、前記データを記憶するように構成された記憶デバイスと、
を備え、
前記データの転送が完了したことを示す警告を第２のコンピューティングデバイスに提供するように構成された通知マネージャ、
をさらに備える、ルーティングデバイス。
【請求項２】
前記設定マネージャは、前記ウェブページを介して、前記データパケットの前記転送のために割り当てられるべき帯域幅の量を示すユーザ入力を受信するようにさらに構成される、請求項１に記載のルーティングデバイス。
【請求項３】
前記パケット検査マネージャは、前記データの前記転送のための帯域幅割り当てを動的に制御するようにさらに構成される、請求項１に記載のルーティングデバイス。
【請求項４】
前記ウェブページを提供するためのウェブサーバ、
をさらに備える、請求項１に記載のルーティングデバイス。
【請求項５】
前記ダウンロードマネージャは、前記ルーティングデバイスと通信している遠隔デバイスに前記データを送信するようにさらに構成される、請求項１に記載のルーティングデバイス。
【請求項６】
前記通知マネージャは、前記データの転送が完了したことを示す電子メール通知を送信することによって、警告を提供するように構成される、請求項１に記載のルーティングデバイス。
【請求項７】
前記通知マネージャは、前記データパケットのダウンロードが完了したことを示すショートメッセージサービス（ＳＭＳ）メッセージを送信することによって、警告を提供するように構成される、請求項１に記載のルーティングデバイス。
【請求項８】
ルータにデータをダウンロードするための方法であって、前記方法は、
ネットワークをわたって遠隔デバイスからダウンロードされるべきデータを識別するダウンロード情報を、前記ルータに搭載されたウェブサーバを介して第１のコンピューティングデバイスから受信することと、
前記遠隔デバイスから前記データをダウンロードするための動作を開始することと、
前記ルータにおいて、前記ネットワークからデータパケットを受信することと、ここにおいて前記データパケットのある特定のものは前記データの一部分を含む、
前記データの前記一部分を含む前記データパケットの前記ある特定のものを識別することと、
前記データパケットの前記ある特定のものから前記データの前記一部分を抽出することと、
データファイルを形成するために前記データの前記抽出された部分を組み合わせることと、
前記ルータに結合された記憶デバイスに、前記データファイルを記憶することと、
を備え、
前記データの転送が完了したことを示す警告を第２のコンピューティングデバイスに提供すること、
をさらに備える、方法。
【請求項９】
前記ウェブサーバを介して、ダウンロードされるべき前記データを処理することに割り当てられるべき前記ルータの帯域幅の量を示すユーザ入力を受信すること、
をさらに備える、請求項８に記載の方法。
【請求項１０】
前記データの前記一部分のいずれも含まない前記データパケットの少なくとも１つをドロップすること、
をさらに備え、前記ドロップすることは、ダウンロードされるべき前記データを処理することにより多い帯域幅を提供するためのものである、
請求項９に記載の方法。
【請求項１１】
ボリュームネットワークトラフィックに基づいて、前記データをダウンロードするための動作のために割り当てられるべき前記ルータの帯域幅の量を規制すること、
をさらに備える、請求項８に記載の方法。
【請求項１２】
前記ルータと通信している１つ以上の遠隔メディア再生デバイスに前記データファイルを送信すること、
をさらに備える、請求項８に記載の方法。
【請求項１３】
警告を提供することは、前記データファイルのダウンロードが完了したことを示す電子メール通知を送信することを備える、請求項８に記載の方法。
【請求項１４】
警告を提供することは、前記データファイルのダウンロードが完了したことを示すショートメッセージサービスメッセージ（ＳＭＳ）通知を送信することを備える、請求項８に記載の方法。
【請求項１５】
コンピュータ上で実行されるとき、請求項１−７のうちの何れか一項に記載の方法を実行するための命令を備える、コンピュータプログラム。
【手続補正書】
【提出日】平成29年2月22日(2017.2.22)
【手続補正１】
【補正対象書類名】特許請求の範囲
【補正対象項目名】全文
【補正方法】変更
【補正の内容】
【特許請求の範囲】
【請求項１】
低ドロップアウト調整のための方法であって、
システム回路によって供給される事前通知信号に応答して、電流を提供するためのデジタルアナログ変換器(DAC)をイネーブルにするステップであって、前記事前通知信号が電流増加を必要とする負荷の変動が所定期間の後に開始されようとしていることを示す、ステップと、
前記DACによって提供される電流を低ドロップアウト(LDO)レギュレータによって提供される電流と合成して前記システム回路に供給するステップであって、それにより前記システム回路に対する電圧アンダーシュートが低減されるか、または除去される、ステップと
を含む、方法。
【請求項２】
前記DACによって提供される前記電流が、前記システム回路に対する動作電圧に達するまで減少する、請求項1に記載の方法。
【請求項３】
前記DACによって提供される前記電流が、所定の範囲内になるように前記LDOレギュレータによって供給される、残りの負荷電流とバランスをとるレベルにまで減少する、請求項1に記載の方法。
【請求項４】
前記DACおよび前記LDOレギュレータが前記システム回路内に組み込まれ、それにより外部キャパシタへの外部パッケージピン接続を必要とされない、請求項3に記載の方法。
【請求項５】
電流アナログデジタル変換器によって、前記LDOレギュレータによって提供される前記電流をモニタして、前記LDO出力電流が高すぎるか、中域の動作レベルか、または低すぎるかどうかを示すステップ
をさらに含む、請求項1に記載の方法。
【請求項６】
低ドロップアウト調整のための装置であって、
電圧および電流のデジタル支援調整のための手段と、
前記デジタル調整のための手段に結合され、かつ前記デジタル調整のための手段とともに動作するように構成される、電圧および電流の線形調整のための手段と、
前記デジタル調整のための手段に事前通知を行うための手段であって、前記デジタル調整のための手段は、前記事前通知に応答して電流を提供し、前記事前通知は、所定の時間期間における電流の変化を必要とする、差し迫った負荷変動の通知であり、それにより前記デジタル調整のための手段は、前記差し迫った負荷変動により必要とされる電流をシステム回路に供給するのが間に合うように、有効にされる、事前通知を行うための手段と
を備える、装置。
【請求項７】
前記線形調整のための手段は、電圧および電流の線形調整を行うように構成される低ドロップアウト(LDO)レギュレータであり、
前記デジタル支援調整のための手段は、前記LDOレギュレータに結合され、かつ電圧および電流のデジタル支援調整を行うように構成されるデジタル支援レギュレータであり、
電源電圧および電流を受け取るように前記デジタル支援レギュレータおよび前記LDOレギュレータに結合され、かつ事前通知を行うための手段を有するシステム回路であって、前記事前通知を行うための手段が、事前通知回路である、システム回路をさらに備える、請求項6に記載の装置。
【請求項８】
前記LDOレギュレータに関連付けられた電流をモニタし、かつ前記LDOレギュレータによって提供される電流のレベルを表す情報をデジタルの形態でデジタルコントローラに提供するように構成される電流アナログデジタル変換器(IADC)をさらに備える、請求項7に記載の装置。
【請求項９】
前記IADCが、
前記LDO出力デバイスに関連付けられた電流をモニタし、かつ前記LDOの出力電流が高すぎるか、中域の動作レベルか、または低すぎるかどうかを示す、しきい値コンパレータを備える、請求項8に記載の装置。
【請求項１０】
前記システム回路に供給される電流を増減させるようにデジタルコントローラによってグループで制御される複数のトランジスタをさらに備える、請求項7に記載の装置。
【請求項１１】
前記複数のトランジスタが、前記デジタルコントローラによって駆動され、前記システム回路に対する前記電源電圧をチップの入力電源電圧に向かって引き上げる、請求項10に記載の装置。
【請求項１２】
前記デジタルコントローラが、前記LDOレギュレータがどれだけの電流を供給しているかを示す電流アナログデジタルコントローラからの入力を取得し、応答して、前記電源電圧を前記システム回路の指定された動作電圧に下降させる制御を行い、前記システム回路に対する電圧アンダーシュートが低減されるか、または除去される、請求項10に記載の装置。
【請求項１３】
実行されたときに、請求項1〜5のいずれか一項に記載の方法を実施可能なコンピュータ可読プログラムデータおよびコードよってコード化された、コンピュータ可読非一時的記録媒体。
【手続補正書】
【提出日】平成29年2月16日(2017.2.16)
【手続補正１】
【補正対象書類名】特許請求の範囲
【補正対象項目名】全文
【補正方法】変更
【補正の内容】
【特許請求の範囲】
【請求項１】
第1のセンサで、制御オブジェクトによるジェスチャ入力の少なくとも一部を検出するステップであって、前記検出するステップは、ユーザデバイス上の前記第1のセンサによって、前記ユーザデバイスの前面、および前記第1のセンサと前記ユーザデバイス上の第2のセンサとの間の遷移領域の外のジェスチャ入力に関連付けられたオンスクリーンの入力データを捕捉するステップを備える、ステップと、
前記制御オブジェクトが前記遷移領域へ移動したと決定することに応答して、
前記第2のセンサで、前記ジェスチャ入力の後続部分を検出するか否かを決定するステップであって、前記ジェスチャ入力の一部および前記ジェスチャ入力の前記後続部分が同一のジェスチャに対応する、ステップと、
前記制御オブジェクトが前記遷移領域内に位置付けられていると決定すると、前記第2のセンサで、オフスクリーンのジェスチャ入力検出を開始するステップと、
前記第1のセンサから前記第2のセンサへのジェスチャ入力の前記後続部分の検出のハンドオフを実行するステップであって、前記ハンドオフを実行するステップが、前記第1のセンサによって前記ジェスチャ入力の前記後続部分の検出を中止するステップを含む、ステップと
を備える、方法。
【請求項２】
前記遷移領域はさらに、少なくとも前記第1のセンサから前記第2のセンサへのハンドオフの間、ジェスチャ入力を決定することに対する連続した解像度が存在する領域を備える、請求項1に記載の方法。
【請求項３】
前記方法はさらに、
前記第2のセンサで、前記ジェスチャ入力の前記後続部分を検出すると決定されたとき、連続したジェスチャ入力を提供するために、前記オンスクリーンのジェスチャ入力データをオフスクリーンのデータと組み合わせるステップを備える、請求項1に記載の方法。
【請求項４】
前記オンスクリーンのジェスチャ入力データを捕捉する前記ステップはさらに、スクリーンの上でタッチレスなジェスチャ入力データを捕捉するステップを備え、前記オフスクリーンのジェスチャデータはさらに、オフスクリーンのタッチレスなジェスチャ入力データを備え、前記方法はさらに、前記スクリーンの上で捕捉された前記タッチレスなジェスチャ入力データを、前記オフスクリーンのタッチレスなジェスチャ入力データと同期するステップを備える、請求項3に記載の方法。
【請求項５】
前記オンスクリーンのジェスチャ入力データを捕捉する前記ステップはさらに、オンスクリーンのタッチジェスチャ入力データを捕捉するステップを備え、前記オフスクリーンのデータはさらに、タッチレスなジェスチャデータを備え、前記方法はさらに、前記オンスクリーンのタッチジェスチャ入力データを前記タッチレスなジェスチャデータと組み合わせる前記ステップを介して、動作を制御するステップを備える、請求項3に記載の方法。
【請求項６】
前記オンスクリーンのタッチジェスチャ入力データを前記タッチレスなジェスチャデータと組み合わせる前記ステップは、1つの連続したコマンドを生成する、請求項5に記載の方法。
【請求項７】
前記オフスクリーンの入力検出はさらに、ユーザデバイスの1つまたは複数の端上で、超音波または1もしくは複数の広角度撮像素子を使用することを備える、請求項1に記載の方法。
【請求項８】
前記オンスクリーンでのジェスチャ入力データは、前記ユーザデバイス上で、タッチスクリーンまたは前面対向画像センサを使用して捕捉される、請求項1に記載の方法。
【請求項９】
前記制御オブジェクトが、前記遷移領域内に位置付けられている間、前記第1のセンサおよび前記第2のセンサの両方を使用して、前記制御オブジェクトからジェスチャ入力を検出するステップをさらに備える、請求項1に記載の方法。
【請求項１０】
前記検出するステップはさらに、ユーザデバイスによって、オフスクリーンのジェスチャ入力データを捕捉するステップを備え、
前記方法はさらに、
前記第2のセンサで、前記ジェスチャ入力の前記後続部分を検出すると決定されたとき、連続したジェスチャ入力を提供するために、前記オフスクリーンのジェスチャ入力データを、オンスクリーンのジェスチャデータと組み合わせるステップを備える、請求項1に記載の方法。
【請求項１１】
前記オフスクリーンのジェスチャ入力データを捕捉する前記ステップはさらに、オフスクリーンのタッチレスなジェスチャ入力データを捕捉するステップを備え、前記オンスクリーンのジェスチャデータはさらに、オンスクリーンのタッチレスなジェスチャ入力データを備え、前記方法はさらに、前記オフスクリーンのタッチレスなジェスチャ入力データを、前記オンスクリーンのタッチレスなジェスチャ入力データと同期するステップを備える、請求項10に記載の方法。
【請求項１２】
ユーザデバイスにおける、制御オブジェクトによるジェスチャ入力の少なくとも一部を検出するための第1の手段であって、検出するための前記第1の手段は、前記ユーザデバイスの前面、および前記第1の手段と前記ユーザデバイスにおける検出するための第2の手段との間の遷移領域の外のジェスチャ入力に関連付けられたオンスクリーンの入力データを捕捉するための手段を備える、手段と、
前記制御オブジェクトが前記遷移領域に移動したと決定することに応答して、検出するための前記第2の手段で、前記ジェスチャ入力の後続部分を検出するか否かを決定するための手段であって、前記ジェスチャ入力の前記一部および前記ジェスチャ入力の前記後続部分が同一のジェスチャに対応する、手段と、
前記制御オブジェクトが前記遷移領域に位置付けられると決定すると、検出するための前記第2の手段で、オフスクリーンのジェスチャ入力を検出するための手段を開始するための手段と、
前記第1の手段から前記第2の手段へのジェスチャ入力の前記後続部分の検出のハンドオフを実行するための手段であって、前記ハンドオフを実行することが、前記第1の手段によって前記ジェスチャ入力の前記後続部分の検出を中止することを含む、手段と
を備える、装置。
【請求項１３】
前記遷移領域はさらに、少なくとも検出するための前記第1の手段から、前記検出するための第2の手段へのハンドオフの間、ジェスチャ入力を決定することに対する連続した解像度が存在する領域を備える、請求項12に記載の装置。
【請求項１４】
前記装置はさらに、検出するための前記第2の手段で、前記ジェスチャ入力の前記後続部分を検出すると決定されたとき、連続したジェスチャ入力を提供するために、前記オンスクリーンのジェスチャ入力データを、オフスクリーンのデータと組み合わせるための手段を備える、請求項12に記載の装置。
【請求項１５】
コンピュータ可読命令が記憶された非一時的コンピュータ可読記憶媒体であって、前記命令は、プロセッサによって実行されると、前記プロセッサに請求項１〜１１のいずれか一項に記載の方法を実行させる、非一時的コンピュータ可読記憶媒体。
【手続補正書】
【提出日】平成29年2月22日(2017.2.22)
【手続補正１】
【補正対象書類名】特許請求の範囲
【補正対象項目名】全文
【補正方法】変更
【補正の内容】
【特許請求の範囲】
【請求項１】
ユーザデバイスの画面上のタッチ入力データを取り込むステップであって、前記タッチ入力データが、前記ユーザデバイスの前記画面上で行われるタッチを表す、ステップと、
前記タッチ入力データに基づいて入力コマンドを決定するステップと、
前記タッチ入力データに基づいて前記ユーザデバイスの動作に影響を及ぼすステップであって、前記動作が、前記ユーザデバイスの前記画面上のコンテンツの表示に影響を与える、ステップと、
非タッチジェスチャ入力データを取り込むステップであって、前記ジェスチャ入力データが、前記ユーザデバイスの前記画面からオフセットされた領域で行われるジェスチャを表し、前記ジェスチャ入力データが、前記決定された入力コマンドに関連している、ステップと、
前記決定された入力コマンドおよびジェスチャ入力データに基づいて前記ユーザデバイスの前記動作にさらに影響を及ぼすステップと
を含む、対話型入力を検出するための方法。
【請求項２】
前記タッチ入力データが、前記ユーザデバイスの前記画面上のターゲットアイテムを特定し、前記入力コマンドが、前記ジェスチャ入力データに基づく前記ターゲットアイテムの態様の調整を含む、請求項1に記載の方法。
【請求項３】
前記入力コマンドが前記ターゲットアイテムの可変量調整を含み、前記可変量調整が前記ジェスチャ入力データから決定される、請求項2に記載の方法。
【請求項４】
前記タッチ入力データを取り込む前記ステップがさらに、前記ユーザデバイスの前記画面上のユーザから、影響が及ぶべき所望のターゲットアイテムに対するタッチを受けるステップと、
前記ユーザデバイスの前記画面上で前記タッチの解放を検出することによって、前記ターゲットアイテムが解除されたと決定するステップとを含む、請求項1に記載の方法。
【請求項５】
前記非タッチジェスチャ入力データを取り込む前記ステップが、物体の位置および動きを検出するステップを含む、請求項1に記載の方法。
【請求項６】
前記物体の前記動きがさらに、前記ユーザデバイスの前記画面と実質的に同じ平面の中での動きを含む、請求項5に記載の方法。
【請求項７】
前記非タッチジェスチャ入力データを取り込む前記ステップが、前記ユーザデバイスの表面を越えた物体を超音波技術、画像もしくは映像取込み技術、または赤外線技術によって検出するように適合された1つまたは複数のセンサを使用するステップを含む、請求項1に記載の方法。
【請求項８】
前記決定された入力コマンドが、前記ユーザデバイスの前記画面上のターゲットアイテムの選択を表す複数の異なるタイプの入力のうちの1つを含む、請求項1に記載の方法。
【請求項９】
前記異なるタイプの入力がさらに、前記画面に触れる手の第1のポーズによって生成される右マウスクリック(RMC)、または前記画面に触れる前記手の第2のポーズによって生成される左マウスクリック(LMC)もしくは代替クリックとを含み、前記第1のポーズが前記第2のポーズとは異なる、請求項8に記載の方法。
【請求項１０】
前記非タッチジェスチャ入力データを取り込む前記ステップが、手のポーズまたは手の動作を取り込むステップを含む、請求項1に記載の方法。
【請求項１１】
ユーザデバイスの画面上のタッチ入力データを取り込むための手段であって、前記タッチ入力データが、前記ユーザデバイスの前記画面上で行われるタッチを表す、手段と、
前記タッチ入力データに基づいて入力コマンドを決定する手段と、
前記タッチ入力データに基づいて前記ユーザデバイスの動作に影響を及ぼす手段であって、前記動作が、前記ユーザデバイスの前記画面上のコンテンツの表示に影響を与える、手段と、
非タッチジェスチャ入力データを取り込む手段であって、前記ジェスチャ入力データが、前記ユーザデバイスの前記画面からオフセットされた領域で行われるジェスチャを表し、前記ジェスチャ入力データが、前記決定された入力コマンドに関連している、手段と、
前記決定された入力コマンドおよびジェスチャ入力データに基づいて前記ユーザデバイスの前記動作にさらに影響を及ぼすための手段と
を含む、対話型入力を検出するための装置。
【請求項１２】
前記タッチ入力データが、前記ユーザデバイスの前記画面上のターゲットアイテムを特定し、前記入力コマンドが、前記ジェスチャ入力データに基づく前記ターゲットアイテムの態様の調整を含む、請求項11に記載の装置。
【請求項１３】
前記入力コマンドが前記ターゲットアイテムの可変量調整を含み、前記可変量調整が前記ジェスチャ入力データから決定される、請求項12に記載の装置。
【請求項１４】
前記タッチ入力データを取り込むための前記手段が、前記ユーザデバイスの前記画面上のユーザから、影響が及ぶべき所望のターゲットアイテムに対するタッチを受けるための手段を含み、
前記ユーザデバイスの前記画面上で前記タッチの解放を検出することによって、前記ターゲットアイテムが解除されたと決定することをさらに含む、請求項11に記載の装置。
【請求項１５】
プロセッサによって実行されたときに、前記プロセッサに請求項1から10のいずれか一項に記載のステップを行わせるコンピュータ可読命令が保存される、コンピュータ可読記録媒体。
【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
基材層（Ｉ）及びヒートシール性樹脂層（ＩＩ）を含むインモールドラベルであって、該基材層（I）が熱可塑性樹脂及び無機微細粉末を含む樹脂組成物よりなり、該ヒートシール性樹脂層（ＩＩ）がエチレン系共重合体を含む塗工液を該基材層（Ｉ）上に塗布、乾燥して形成した塗布層よりなることを特徴とするストレッチブロー用インモールドラベル。
【請求項２】
基材層（I）のヒートシール性樹脂層（ＩＩ）を設ける側の面の液体吸収係数が４ｍｌ／ｍ２（ｍｓ）１／２以下であることを特徴とする請求項１に記載のストレッチブロー用インモールドラベル。
【請求項３】
該エチレン系共重合体がメルトフローレートが２０ｇ／１０分以上のエチレン・酢酸ビニル共重合体であることを特徴とする請求項１または２に記載のストレッチブロー用インモールドラベル。
【請求項４】
該エチレン系共重合体がマレイン酸変性したエチレン・酢酸ビニル共重合体であることを特徴とする請求項１または２に記載のストレッチブロー用インモールドラベル。
【請求項５】
該エチレン系共重合体がエチレン・酢酸ビニル共重合体であり、当該共重合体の総量に対して酢酸ビニルを５〜５０重量％含むことを特徴とする請求項１または２に記載のストレッチブロー用インモールドラベル。
【請求項６】
該エチレン系共重合体が酸価は、１〜６０のエチレン・酢酸ビニル共重合体である請求項１または２に記載のストレッチブロー用インモールドラベル。
【請求項７】
該基材層（I）の表面に更に印刷可能層（ＩＩＩ）を設けることを特徴とする請求項１〜６の何れか一項に記載のストレッチブロー用インモールドラベル。
【請求項８】
請求項１〜７の何れか一項に記載のストレッチブロー用インモールドラベルを貼着したインモールドラベル付きストレッチブロー成形品であって、
該ストレッチブロー成形品を形成する樹脂がポリエステル系樹脂、ポリカーボネート系樹脂、ポリスチレン系樹脂、ポリプロピレン系樹脂、およびポリエチレン系樹脂の少なくとも１種よりなることを特徴とするインモールドラベル付きストレッチブロー成形品。
【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
近接デバイスをアップデートするためのシステムであって、
モバイル・プロキシ・デバイスに関連付けられ、アップデート・データを記憶しているメモリ領域と、
プロセッサであって、
前記モバイル・プロキシ・デバイスにより、前記モバイル・プロキシ・デバイスに近接する少なくとも１つのユーザ・デバイスからアップデート・リクエストを受信し、ここで、前記アップデート・リクエストは、ユーザ・デバイス識別子及びユーザ・デバイス状態を少なくとも含み、
前記の受信されたアップデート・リクエストに応答して、前記ユーザ・デバイス識別子及び前記ユーザ・デバイス状態に関連付けられている前記アップデート・データにアクセスし、
前記のアクセスされたアップデート・データを、前記モバイル・プロキシ・デバイスから前記ユーザ・デバイスに送信し、
前記のアクセスされたアップデート・データの送信に少なくとも関連するアップデート・メトリックスを生成する
ようプログラムされているプロセッサと、
を備えた、システム。
【請求項２】
前記アップデート・メトリックスは、受信されたアップデート・リクエストの数、送信されたアップデート・データの量、前記アップデート・データの各送信に関連する期間、アップデート成功率、及びアップデート失敗率のうちの少なくとも１つを含む、請求項１記載のシステム。
【請求項３】
前記プロセッサは、さらに、前記アップデート・データの送信時間、前記アップデート・データの送信中の前記モバイル・プロキシ・デバイスの位置、及び前記のアクセスされたアップデート・データに関連付けられている識別子のうちの少なくとも１つを示すデータを収集するようプログラムされている、請求項１又は２記載のシステム。
【請求項４】
前記プロセッサは、さらに、前記の生成されたアップデート・メトリックスをクラウド・サービスに公開するようプログラムされている、請求項１乃至３いずれか一項記載のシステム。
【請求項５】
前記プロセッサは、さらに、前記の生成されたアップデート・メトリックスから、予め定められた閾値を超えるアップデート成功率を有する前記アップデート・データを識別するようプログラムされている、請求項１乃至４いずれか一項記載のシステム。
【請求項６】
前記プロセッサは、さらに、前記ユーザ・デバイスの製造業者に、前記の生成されたアップデート・メトリックスのうちの１以上を通知するようプログラムされている、請求項１乃至５いずれか一項記載のシステム。
【請求項７】
前記アップデート・データにアクセスすることは、前記モバイル・プロキシ・デバイスがアクセス可能な前記メモリ領域を検索することを含む、請求項１乃至６いずれか一項記載のシステム。
【請求項８】
プロキシ・デバイスが、前記プロキシ・デバイスに近接する少なくとも１つのユーザ・デバイスから、アップデート・リクエストを受信するステップであって、前記アップデート・リクエストは、ユーザ・デバイス識別子及びユーザ・デバイス状態を少なくとも含む、ステップと、
前記プロキシ・デバイスが、前記の受信されたアップデート・リクエストに応答して、前記ユーザ・デバイス識別子及び前記ユーザ・デバイス状態に関連付けられているアップデート・データにアクセスするステップと、
前記プロキシ・デバイスが、前記ユーザ・デバイスに、前記のアクセスされたアップデート・データを送信するステップと、
前記プロキシ・デバイスが、前記のアクセスされたアップデート・データの送信に少なくとも関連するアップデート・メトリックスを生成するステップと、
を含む、方法。
【請求項９】
プロキシ・デバイスに請求項８記載の方法を実行させるコンピュータ・プログラム。
【請求項１０】
請求項９記載のコンピュータ・プログラムを記憶しているコンピュータ読み取り可能記憶媒体。